(57)【要約】【課題】利用者個人の利用者識別情報が不正使用されることによる、複数のデータ利用装置におけるコンテンツデータの不正利用を防止する。【解決手段】ユーザ識別情報をユーザに入力させてコンテンツデータを利用させ、その利用者識別情報とコンテンツデータの利用時間とを含むユーザ履歴情報を生成して出力する放送受信再生端末１１−１〜１１−ｎと、これら出力されたユーザ履歴情報を入力して解析し、２つ以上の放送受信再生端末におけるユーザ識別情報の重複使用を検出した場合に、ユーザ識別情報を含むユーザ識別情報重複使用通知を全ての放送受信再生端末に送信する利用状況管理装置１２とでコンテンツデータ放送受信システム１を構成し、各放送受信再生端末が、ユーザ識別情報重複使用通知に含まれるユーザ識別情報と入力されたユーザ識別情報とを比較して同一である場合に、コンテンツデータの利用を禁止するようにした。【選択図】図２
2008065664.tif 000002
【特許請求の範囲】
【請求項１】
コンテンツデータ及び利用者識別情報を入力し、前記入力されたコンテンツデータをコンテンツデータ利用手段により利用者に利用させると共に、前記入力された利用者識別情報を含む利用履歴情報を生成して出力する複数のデータ利用装置と、これら複数のデータ利用装置からそれぞれ出力された利用履歴情報を入力し、これらの利用履歴情報を解析して２つ以上のデータ利用装置における利用者識別情報の重複使用履歴を検出した場合に、この利用者識別情報を含む利用者識別情報重複使用通知情報を前記複数のデータ利用装置に送信する利用履歴情報管理装置とからなるコンテンツデータ利用システムであって、
前記複数のデータ利用装置のそれぞれは、
前記コンテンツデータ利用手段によるコンテンツデータの利用に伴い、利用開始時刻と利用終了時刻と前記入力された利用者識別情報とを関連付けたレコードデータを生成して前記利用履歴情報として記録する利用履歴情報記録手段と、
前記記録した利用履歴情報を定期的に読み出して前記利用履歴情報管理装置に送信する利用履歴情報送信手段と、
前記利用履歴情報管理装置から前記利用者識別情報重複使用通知情報が供給された場合に、この利用者識別情報重複使用通知情報を入力して記録する利用者識別情報重複使用通知情報記録手段と、
前記記録された利用者識別情報重複使用通知情報に含まれる利用者識別情報と前記入力された利用者識別情報とを比較して同一である場合に、前記コンテンツ利用手段によるコンテンツデータの利用を禁止させる制御手段とを備え、
前記利用履歴情報管理装置は、
前記複数のデータ利用装置のそれぞれから供給された利用履歴情報を逐次入力して記録する利用履歴情報記録手段と、
これら記録された利用履歴情報の各レコードデータを比較し、利用者識別情報が同一であり、且つ利用開始時刻と利用終了時刻とから算出される利用時間が少なくとも部分的に重複している２つ以上のレコードデータがある場合に、前記重複使用履歴として検出する利用履歴情報比較手段と、
この利用履歴情報比較手段により重複使用履歴が検出された場合に、前記検出されたレコードデータに含まれる前記同一の利用者識別情報を含む前記利用者識別情報重複使用通知情報を生成して前記複数のデータ利用装置に送信する利用者識別情報重複使用通知情報出力手段と
を備えたコンテンツデータ利用システム。
【請求項２】
コンテンツデータ及び利用者識別情報を入力し、前記入力されたコンテンツデータをコンテンツデータ利用手段により利用者に利用させると共に、前記入力された利用者識別情報を含む利用履歴情報を生成して出力するデータ利用装置であって、
前記コンテンツデータ利用手段によるコンテンツデータの利用に伴い、利用開始時刻と利用終了時刻と前記入力された利用者識別情報とを関連付けたレコードデータを生成して前記利用履歴情報として記録する利用履歴情報記録手段と、
前記記録した利用履歴情報を定期的に読み出して出力する利用履歴情報送信手段と、
外部より利用者識別情報を含む利用者識別情報重複使用通知情報が供給された場合に、この利用者識別情報重複使用通知情報を入力して記録する利用者識別情報重複使用通知情報記録手段と、
前記記録された利用者識別情報重複使用通知情報に含まれる利用者識別情報と前記入力された利用者識別情報とを比較して同一である場合に、前記コンテンツ利用手段によるコンテンツデータの利用を禁止させる制御手段と
を備えたデータ利用装置。
【請求項３】
利用者によるコンテンツデータの利用時間と利用者の利用者識別情報とが関連付けられたレコードデータによる利用履歴情報を入力し、解析して２つ以上の利用者識別情報の重複使用履歴を検出した場合に、この利用者識別情報を含む利用者識別情報重複使用通知情報を出力する利用履歴情報管理装置であって、
前記入力した利用履歴情報を記録する利用履歴情報記録手段と、
前記記録された利用履歴情報の各レコードデータを比較し、利用者識別情報が同一であり、且つコンテンツデータの利用時間が少なくとも部分的に重複している２つ以上のレコードデータがある場合に、前記重複使用履歴として検出する利用履歴情報比較手段と、
この利用履歴情報比較手段により重複使用履歴が検出された場合に、前記検出されたレコードデータに含まれる前記同一の利用者識別情報を含む前記利用者識別情報重複使用通知情報を生成して出力する利用者識別情報重複使用通知情報出力手段と
を備えた利用履歴情報管理装置。
【請求項４】
コンテンツデータ利用禁止制御情報が必要に応じて付加されたコンテンツデータを配信するコンテンツデータ配信装置と、前記配信されたコンテンツデータと利用者識別情報とをそれぞれ入力し、前記入力されたコンテンツデータに前記コンテンツデータ利用禁止制御情報が付加されていない場合のみ、前記コンテンツデータをコンテンツデータ利用手段により利用者に利用させると共に、前記入力された利用者識別情報を含む利用履歴情報を生成して出力する複数のデータ利用装置と、これら複数のデータ利用装置からそれぞれ出力された利用履歴情報を入力し、これらの利用履歴情報を解析して２つ以上のデータ利用装置における利用者識別情報の重複使用履歴を検出した場合に、この利用者識別情報を含む利用者識別情報重複使用通知情報を前記コンテンツデータ配信装置に送信する利用履歴情報管理装置とからなるコンテンツデータ利用システムであって、
前記複数のデータ利用装置のそれぞれは、
前記コンテンツデータ利用手段によるコンテンツデータの利用に伴い、利用開始時刻と利用終了時刻と前記入力された利用者識別情報とを関連付けたレコードデータを生成して前記利用履歴情報として記録する利用履歴情報記録手段と、
前記記録した利用履歴情報を定期的に読み出して前記利用履歴情報管理装置に送信する利用履歴情報送信手段とを備え、
前記利用履歴情報管理装置は、
前記複数のデータ利用装置のそれぞれから供給された利用履歴情報を逐次入力して記録する利用履歴情報記録手段と、
これら記録された利用履歴情報の各レコードデータを比較し、利用者識別情報が同一であり、且つ利用開始時刻と利用終了時刻とから算出される利用時間が少なくとも部分的に重複している２つ以上のレコードデータがある場合に、前記重複使用履歴として検出する利用履歴情報比較手段と、
この利用履歴情報比較手段により重複使用履歴が検出された場合に、前記検出されたレコードデータに含まれる前記同一の利用者識別情報を含む前記利用者識別情報重複使用通知情報を生成して前記コンテンツデータ配信装置に送信する利用者識別情報重複使用通知情報出力手段とを備え、
前記コンテンツデータ提供装置は、
前記利用履歴情報管理装置から前記利用者識別情報重複使用通知情報が供給された場合に、この利用者識別情報重複使用通知情報を入力して、これに含まれた利用者識別情報を抽出する利用者識別情報抽出手段と、
前記抽出された利用者識別情報に対応させて前記コンテンツデータ利用禁止制御情報を生成する制御手段と、
前記生成されたコンテンツデータ利用禁止制御情報を配信すべきコンテンツデータに付加するコンテンツデータ生成手段とを備えたコンテンツデータ利用システム。
【請求項５】
利用者によるコンテンツデータの利用を禁止させるためのコンテンツデータ利用禁止制御情報が必要に応じて前記コンテンツデータに付加された禁止制御情報付加コンテンツデータを配信するコンテンツデータ配信装置であって、
コンテンツデータ利用者の利用者識別情報を含む利用者識別情報重複使用通知情報が外部より供給された場合に、この利用者識別情報重複使用通知情報を入力して、これに含まれた利用者識別情報を抽出する利用者識別情報抽出手段と、
前記抽出された利用者識別情報に対応させて前記コンテンツデータ利用禁止制御情報を生成する制御手段と、
前記生成されたコンテンツデータ利用禁止制御情報を配信すべきコンテンツデータに付加して前記禁止制御情報負荷コンテンツデータを生成するコンテンツデータ生成手段とを備えたコンテンツデータ配信装置。
【発明の詳細な説明】
【技術分野】
【０００１】
本発明は、コンテンツデータ利用システム、データ利用装置、利用履歴情報管理装置、及びコンテンツデータ配信装置に係り、特に、利用者個人に付与された利用者識別情報が不正使用されることによって、複数のデータ利用装置でコンテンツデータが不正利用されることを防止するための、コンテンツデータ利用システム、データ利用装置、利用履歴情報管理装置、及びコンテンツデータ配信装置に関する。
【背景技術】
【０００２】
近年のＩＴ技術やネットワーク技術の発展により、多数のユーザ端末とプロバイダが管理するサーバとがインターネットを介して接続されたネットワークシステムにおいて、ライセンス供与されたユーザがユーザ端末からユーザ識別情報を入力し、プロバイダに通知してプロバイダで認証することにより、サーバがユーザ所望のゲームソフト、映画や音楽のソフト等のコンテンツデータを認証されたユーザ端末に配信したり、このユーザ端末にネットワーク越しに参照させたりする情報サービスが行われている。このような情報サービスにおいては、サービスを受けるユーザは、所有又は管理する１台のユーザ端末に限られることなく、異なるユーザ端末からでもプロバイダにユーザ識別情報を通知して認証されさえすれば、サービスを享受することができる。このように、ライセンスを受けた正式ユーザは、場所やユーザ端末を選ばずサービスを受けることができるため、上記のようなネットワークシステムによる情報サービスは広く普及している。
【０００３】
ところで、上記のようなユーザ端末を特定して行わない情報サービスにおいては、同一のユーザ識別情報が複数のユーザ端末で同時に利用された場合でも、これら複数のユーザ端末で同時に情報サービスを受けられることが起こり得る。このような重複した利用は、ユーザ識別情報が複数のユーザ間で共有されて不正に使用された場合に発生し、サービス提供者が不利益を被ることとなるため問題である。
【０００４】
そこで、このような問題を生じさせないように、同時に複数のユーザ端末がサービスを利用することを監視するシステムが提案されている（例えば、特許文献１参照）。この特許文献１には、ソフトウェアの利用を行うユーザ端末が、ネットワークに接続されたライセンス管理サーバからソフトウェアの利用を許可するライセンスを受け取ってソフトウェアを利用し、そして、ソフトウェアの利用を終了し又はネットワークから切り離したときにライセンスを開放する技術について開示されている。
【０００５】
また、データ利用装置でのコンテンツデータの利用の際に、データ利用装置がコンテンツ利用時間をデータ利用履歴情報として記録しておき、他のデータ利用装置に記録された同様のデータ利用履歴情報を取得して比較を行うことで、複数のデータ利用装置でのコンテンツデータの同時利用を検出する方法も知られている（例えば、特許文献２参照）。
【特許文献１】特開２００３−８４８５２号公報
【特許文献２】特開２００６−１４６８６７号公報
【発明の開示】
【発明が解決しようとする課題】
【０００６】
しかしながら、特許文献１に記載の発明においては、ソフトウェアを利用する場合には常にネットワークに接続している必要があり、ユーザ端末にソフトウェアを常駐させてネットワークから切り離した状態で利用する場合にランセンスの確認ができないという問題があった。すなわち、コンテンツ配信サービスを利用可能なポータブル再生装置のように、非ネットワーク環境での利用が想定されるものには適さなかった。
【０００７】
また、特許文献２に記載されたデータ利用装置をネットワークシステムに適用した場合、データ利用装置がネットワークに非接続の状態でもデータ利用装置の利用状態を追跡し、後で利用制御を行うことは可能であるが、データ利用装置を利用するユーザ毎にサービスの不正利用を検出することは略不可能である。
【０００８】
そこで、本発明は、上記問題に鑑みてなされたものであり、その目的は、利用者に予め付与された利用者識別情報を入力させて所望のコンテンツデータを利用させる場合において、利用者識別情報の不正使用によるコンテンツデータの不正利用を防止することを容易に実現し得る、コンテンツデータ利用システム、データ利用装置、利用履歴情報管理装置、及びコンテンツデータ配信装置を提供することである。
【課題を解決するための手段】
【０００９】
本発明は、上記の課題を解決するために、
［１］  コンテンツデータ及び利用者識別情報を入力し、前記入力されたコンテンツデータをコンテンツデータ利用手段により利用者に利用させると共に、前記入力された利用者識別情報を含む利用履歴情報を生成して出力する複数のデータ利用装置と、これら複数のデータ利用装置からそれぞれ出力された利用履歴情報を入力し、これらの利用履歴情報を解析して２つ以上のデータ利用装置における利用者識別情報の重複使用履歴を検出した場合に、この利用者識別情報を含む利用者識別情報重複使用通知情報を前記複数のデータ利用装置に送信する利用履歴情報管理装置とからなるコンテンツデータ利用システムであって、
前記複数のデータ利用装置のそれぞれは、
前記コンテンツデータ利用手段によるコンテンツデータの利用に伴い、利用開始時刻と利用終了時刻と前記入力された利用者識別情報とを関連付けたレコードデータを生成して前記利用履歴情報として記録する利用履歴情報記録手段と、
前記記録した利用履歴情報を定期的に読み出して前記利用履歴情報管理装置に送信する利用履歴情報送信手段と、
前記利用履歴情報管理装置から前記利用者識別情報重複使用通知情報が供給された場合に、この利用者識別情報重複使用通知情報を入力して記録する利用者識別情報重複使用通知情報記録手段と、
前記記録された利用者識別情報重複使用通知情報に含まれる利用者識別情報と前記入力された利用者識別情報とを比較して同一である場合に、前記コンテンツ利用手段によるコンテンツデータの利用を禁止させる制御手段とを備え、
前記利用履歴情報管理装置は、
前記複数のデータ利用装置のそれぞれから供給された利用履歴情報を逐次入力して記録する利用履歴情報記録手段と、
これら記録された利用履歴情報の各レコードデータを比較し、利用者識別情報が同一であり、且つ利用開始時刻と利用終了時刻とから算出される利用時間が少なくとも部分的に重複している２つ以上のレコードデータがある場合に、前記重複使用履歴として検出する利用履歴情報比較手段と、
この利用履歴情報比較手段により重複使用履歴が検出された場合に、前記検出されたレコードデータに含まれる前記同一の利用者識別情報を含む前記利用者識別情報重複使用通知情報を生成して前記複数のデータ利用装置に送信する利用者識別情報重複使用通知情報出力手段と
を備えたコンテンツデータ利用システム
を提供し、
［２］  コンテンツデータ及び利用者識別情報を入力し、前記入力されたコンテンツデータをコンテンツデータ利用手段により利用者に利用させると共に、前記入力された利用者識別情報を含む利用履歴情報を生成して出力するデータ利用装置であって、
前記コンテンツデータ利用手段によるコンテンツデータの利用に伴い、利用開始時刻と利用終了時刻と前記入力された利用者識別情報とを関連付けたレコードデータを生成して前記利用履歴情報として記録する利用履歴情報記録手段と、
前記記録した利用履歴情報を定期的に読み出して出力する利用履歴情報送信手段と、
外部より利用者識別情報を含む利用者識別情報重複使用通知情報が供給された場合に、この利用者識別情報重複使用通知情報を入力して記録する利用者識別情報重複使用通知情報記録手段と、
前記記録された利用者識別情報重複使用通知情報に含まれる利用者識別情報と前記入力された利用者識別情報とを比較して同一である場合に、前記コンテンツ利用手段によるコンテンツデータの利用を禁止させる制御手段と
を備えたデータ利用装置
を提供し、
［３］  利用者によるコンテンツデータの利用時間と利用者の利用者識別情報とが関連付けられたレコードデータによる利用履歴情報を入力し、解析して２つ以上の利用者識別情報の重複使用履歴を検出した場合に、この利用者識別情報を含む利用者識別情報重複使用通知情報を出力する利用履歴情報管理装置であって、
前記入力した利用履歴情報を記録する利用履歴情報記録手段と、
前記記録された利用履歴情報の各レコードデータを比較し、利用者識別情報が同一であり、且つコンテンツデータの利用時間が少なくとも部分的に重複している２つ以上のレコードデータがある場合に、前記重複使用履歴として検出する利用履歴情報比較手段と、
この利用履歴情報比較手段により重複使用履歴が検出された場合に、前記検出されたレコードデータに含まれる前記同一の利用者識別情報を含む前記利用者識別情報重複使用通知情報を生成して出力する利用者識別情報重複使用通知情報出力手段と
を備えた利用履歴情報管理装置
を提供し、
［４］  コンテンツデータ利用禁止制御情報が必要に応じて付加されたコンテンツデータを配信するコンテンツデータ配信装置と、前記配信されたコンテンツデータと利用者識別情報とをそれぞれ入力し、前記入力されたコンテンツデータに前記コンテンツデータ利用禁止制御情報が付加されていない場合のみ、前記コンテンツデータをコンテンツデータ利用手段により利用者に利用させると共に、前記入力された利用者識別情報を含む利用履歴情報を生成して出力する複数のデータ利用装置と、これら複数のデータ利用装置からそれぞれ出力された利用履歴情報を入力し、これらの利用履歴情報を解析して２つ以上のデータ利用装置における利用者識別情報の重複使用履歴を検出した場合に、この利用者識別情報を含む利用者識別情報重複使用通知情報を前記コンテンツデータ配信装置に送信する利用履歴情報管理装置とからなるコンテンツデータ利用システムであって、
前記複数のデータ利用装置のそれぞれは、
前記コンテンツデータ利用手段によるコンテンツデータの利用に伴い、利用開始時刻と利用終了時刻と前記入力された利用者識別情報とを関連付けたレコードデータを生成して前記利用履歴情報として記録する利用履歴情報記録手段と、
前記記録した利用履歴情報を定期的に読み出して前記利用履歴情報管理装置に送信する利用履歴情報送信手段とを備え、
前記利用履歴情報管理装置は、
前記複数のデータ利用装置のそれぞれから供給された利用履歴情報を逐次入力して記録する利用履歴情報記録手段と、
これら記録された利用履歴情報の各レコードデータを比較し、利用者識別情報が同一であり、且つ利用開始時刻と利用終了時刻とから算出される利用時間が少なくとも部分的に重複している２つ以上のレコードデータがある場合に、前記重複使用履歴として検出する利用履歴情報比較手段と、
この利用履歴情報比較手段により重複使用履歴が検出された場合に、前記検出されたレコードデータに含まれる前記同一の利用者識別情報を含む前記利用者識別情報重複使用通知情報を生成して前記コンテンツデータ配信装置に送信する利用者識別情報重複使用通知情報出力手段とを備え、
前記コンテンツデータ提供装置は、
前記利用履歴情報管理装置から前記利用者識別情報重複使用通知情報が供給された場合に、この利用者識別情報重複使用通知情報を入力して、これに含まれた利用者識別情報を抽出する利用者識別情報抽出手段と、
前記抽出された利用者識別情報に対応させて前記コンテンツデータ利用禁止制御情報を生成する制御手段と、
前記生成されたコンテンツデータ利用禁止制御情報を配信すべきコンテンツデータに付加するコンテンツデータ生成手段とを備えたコンテンツデータ利用システム
を提供し、
［５］  利用者によるコンテンツデータの利用を禁止させるためのコンテンツデータ利用禁止制御情報が必要に応じて前記コンテンツデータに付加された禁止制御情報付加コンテンツデータを配信するコンテンツデータ配信装置であって、
コンテンツデータ利用者の利用者識別情報を含む利用者識別情報重複使用通知情報が外部より供給された場合に、この利用者識別情報重複使用通知情報を入力して、これに含まれた利用者識別情報を抽出する利用者識別情報抽出手段と、
前記抽出された利用者識別情報に対応させて前記コンテンツデータ利用禁止制御情報を生成する制御手段と、
前記生成されたコンテンツデータ利用禁止制御情報を配信すべきコンテンツデータに付加して前記禁止制御情報負荷コンテンツデータを生成するコンテンツデータ生成手段とを備えたコンテンツデータ配信装置
を提供するものである。
【発明の効果】
【００１０】
本発明によれば、利用者に予め付与された利用者識別情報を入力させてコンテンツデータを利用させるデータ利用装置を複数用いてデータ利用システムを構築した場合において、同一の利用者識別情報が複数のデータ利用装置で同時に利用される不正使用を防止することができる。すなわち、本発明によれば、利用者個人に対してのみライセンスが供与される情報サービスを、利用者に利用させるデータ利用装置を固定することなく他のデータ利用装置でも利用可能にするので、利用者は使用環境が限定されることなく情報サービスを利用することができると共に、使用するデータ利用装置を変える度に、サービス提供者に接続する等して新たにライセンスを所得するといった手間を省くことができる。
【発明を実施するための最良の形態】
【００１１】
以下、本発明を実施するための最良の形態について、好ましい実施例を示して詳細に説明する。
【実施例１】
【００１２】
本発明を適用した第一実施例であるコンテンツデータ放送受信システムについて図面を参照しながら説明する。図１に、コンテンツデータ放送受信システムの概略構成図を示す。同図において、コンテンツデータ放送受信システム（コンテンツデータ利用システム）１は、放送局側の装置と放送受信者（ユーザ）側の装置とからなり、放送局側の装置としては、コンテンツデータを含む放送データｅを放送する放送システム１３と、利用状況管理装置（利用履歴情報管理装置）１２とを有し、ユーザ側の装置としては、放送システム１３から放送された放送データｅを受信し、所望のコンテンツデータを選択して再生する放送受信再生端末（データ利用装置）１１−１〜１１−ｎを有する。そして、放送受信再生端末１１−１〜１１−ｎと利用状況管理装置１２とはインターネット１４を介してそれぞれ接続されている。
【００１３】
本実施例においては、放送受信再生端末１１−１〜１１−ｎが、受信した放送データｅから所望のコンテンツデータを選択して再生や録画により利用する度に、ユーザ毎のコンテンツデータの利用履歴情報を生成して記録する一方、利用状況管理装置１２に利用履歴情報を送信し、各放送受信再生端末から送信された利用履歴情報を受信した利用状況管理装置１２が、これら利用履歴情報を一元管理すると共に、単一のユーザが複数の放送受信再生端末で時間的に少なくとも部分的に重複してコンテンツデータを利用しているか否かを判定し、肯定的な判定結果を得た場合に、重複して利用している放送受信再生端末に対してコンテンツデータの利用を禁止させる制御を行う点に特徴を有する。
【００１４】
図２に、コンテンツデータ放送受信システム１の概略機能ブロック図を示し、各ブロックの機能と動作について概略説明する。なお、同図は、説明を容易にするために、ｎ台の放送受信再生端末１１−１〜１１−ｎを２台の放送受信再生端末１１−１，１１−２に限定した例である。
【００１５】
放送システム１３は、放送局の管理によって放送データｅを放送している。放送形式は、電波、無線、有線を問わず適用できる。
【００１６】
一方、放送受信再生端末１１−１，１１−２は、それぞれの利用時に各ユーザによってユーザ識別情報ａ１，ａ２が入力される。ユーザ識別情報ａ１，ａ２は、個々のユーザに付与されたＩＤ情報である。放送受信再生端末１１−１，１１−２は、ユーザ識別情報ａ１，ａ２を認証し、正しいユーザ識別情報ａ１，ａ２が入力された場合、放送データｅを受信可能なように自端末を制御する。
【００１７】
放送受信再生端末１１−１，１１−２は、それぞれ放送データｅを受信開始すると、ユーザにより所望の番組が選局され、選局された番組のコンテンツデータがユーザにより利用される。なお、本実施例におけるコンテンツデータの利用とは、コンテンツデータの再生及び録画、又はいずれか一方の処理を指す。放送受信再生端末１１−１，１１−２は、選局されたコンテンツデータ毎に、コンテンツデータの利用開始時点からこのコンテンツデータの利用終了時点までのコンテンツデータ利用時間を、ユーザ識別情報ａ１，ａ２にそれぞれ関連付けたコンテンツ利用履歴レコードとしてユーザ履歴情報ｇ１，ｇ２に記録する。
【００１８】
そして、放送受信再生端末１１−１，１１−２は、上記の如くコンテンツデータを利用する一方、予め自端末に設定された一定時間毎に、又は利用状況管理装置１２から任意に若しくは一定時間毎に履歴情報要求データｈ１，ｈ２が供給される度に、記録したユーザ履歴情報ｇ１，ｇ２を利用状況管理装置１２に送信する。
【００１９】
利用状況管理装置１２は、ユーザ履歴情報ｇ１，ｇ２を受信すると、コンテンツ利用履歴レコード毎にそれぞれ比較し、同一のユーザ識別情報であって、且つコンテンツデータ利用時間が少なくとも部分的に重複しているか否かを判定する。そして、肯定的な判定結果が得られた場合は、ユーザ識別情報重複使用通知ｊ１，ｊ２を生成して放送受信再生端末１１−１，１１−２に送信する。
【００２０】
例えば、放送受信再生端末１１−１，１１−２の各ユーザが、共にユーザ識別情報ａ１を用いてユーザ認証して放送データｅを受信し、所望のコンテンツデータを利用した場合において、コンテンツデータ利用時間に少なくとも部分的な重複がある場合は、利用状況管理装置１２は、ユーザ識別情報重複使用通知ｊ１，ｊ２を放送受信再生端末１１−１，１１−２に送信する。
【００２１】
放送受信再生端末１１−１，１１−２は、ユーザ識別情報重複使用通知ｊ１，ｊ２を受信した場合は、コンテンツデータの利用を禁止するよう制御する。
【００２２】
上記概略説明したようにして、コンテンツデータ放送受信システム１は、放送データｅを受信した放送受信再生端末１１−１〜１１−ｎによるコンテンツデータの利用に際し、各放送受信再生端末が利用状況管理装置１２に供給するユーザ履歴情報に基づいて、利用状況管理装置１２が、同一のユーザ識別情報により認証された複数の放送受信再生端末で、コンテンツデータを時間的に少なくとも部分的に重複して利用していることを検出することにより、利用状況管理装置１２が、各放送受信再生端末に対して不正利用を禁止するよう直接制御することができる。
【００２３】
次に、本実施例における各装置の構成及び動作について更に詳しく説明する。図３に、放送受信再生端末１１−１の機能ブロック図を示す（その他の放送受信再生端末１１−２〜１１−ｎも同様の構成である。）。同図において、放送受信再生端末１１−１は、ユーザ識別情報入力手段３１と、制御手段３２と、コンテンツデータ入力手段３３と、コンテンツデータ利用手段３４と、ユーザ履歴記録手段３５と、ユーザ履歴送信手段３６と、ユーザ識別情報重複使用通知入力手段３７と、ユーザ識別情報重複使用通知記録手段３８とを備えている。
【００２４】
ユーザ識別情報入力手段３１は、ユーザによる不図示の操作ボタン等の操作により、又はユーザ識別情報ａ１が記録された磁気カード等の記録媒体の入力により、ユーザ識別情報ａ１を入力してデータを保持すると共に制御手段３２に供給する。ユーザ識別情報ａ１は、例えば、放送局側の管理のもと、予め任意に決定したユーザネーム及びパスワード、若しくはいずれか一方の情報、又はＩＣカードやＩＣタグ等に記録された個人ＩＤ等が適用できる。そして、制御手段３２は、供給されたユーザ識別情報ａ１を認証し、正しいユーザ識別情報であると認証した場合は、放送システム１３から放送される放送データｅを受信可能なようにコンテンツデータ入力手段３３を制御する。
【００２５】
放送を受信可能なように制御されたコンテンツデータ入力手段３３は、放送データｅを受信開始してデコード処理を実行する。そして、ユーザの操作により所望の番組が選局され、この選局された番組のコンテンツデータをコンテンツデータ利用手段３４に供給する。
【００２６】
次に、コンテンツデータ利用手段３４は、供給されたコンテンツデータをユーザの操作により再生及び録画処理、又はいずれか一方の処理を実行する。このとき、制御手段３２は、コンテンツデータ利用手段３４がコンテンツデータを利用する際に、詳細を後述するユーザ識別情報重複使用通知記録手段３８を検索し、ユーザ識別情報重複使用通知が記録されていた場合はこれに含まれるユーザ識別情報とユーザ識別情報入力手段３１に保持されているユーザ識別情報ａ１とを比較し、両ユーザ識別情報が一致する場合に、コンテンツデータ利用手段３４におけるコンテンツデータの利用を禁止する制御を行う。
【００２７】
コンテンツデータ利用手段３４は、コンテンツデータを利用する場合、コンテンツデータを利用開始する際のコンテンツ利用開始時刻ｐ１を不図示の計時手段により計時してユーザ履歴記録手段３５に供給する。そして、ユーザ履歴記録手段３５は、ユーザ識別情報入力手段３１に保持されているユーザ識別情報ａ１を読み込み、コンテンツ利用開始時刻ｐ１を関連付けてコンテンツ利用履歴レコードに記録する。その後、コンテンツデータ利用手段３４は、前記コンテンツデータの利用を終了したコンテンツ利用終了時刻ｑ１をユーザ履歴記録手段３５に供給し、ユーザ履歴記録手段３５は、コンテンツ利用終了時刻ｑ１を前記コンテンツ利用履歴レコードに追記して、このコンテンツ利用履歴レコードをユーザ履歴情報ｇ１に記録する。なお、コンテンツ利用開始時刻ｐ１及びコンテンツ利用終了時刻ｑ１は、それぞれ「年．月．日．時：分：秒」からなるデータであることが好ましい。
【００２８】
ここで、図４に、ユーザ履歴情報ｇ１のデータ構成例を示す。同図に示すようにユーザ履歴情報ｇ１は、１つ又は２つ以上のコンテンツ利用履歴レコードが記録されたものであり、各レコードは、ユーザ識別情報ａ１とコンテンツ利用開始時刻ｐ１とコンテンツ利用終了時刻ｑ１とを含んで構成されている。すなわち、各コンテンツ利用履歴レコードは、ユーザ識別情報入力手段３１により入力されたユーザ識別情報ａ１の認証によって、コンテンツ利用開始時刻ｐ１で示される時刻からコンテンツ利用終了時刻ｑ１で示される時刻までの間、コンテンツデータ利用手段３４でコンテンツデータが利用されたことを示している。
【００２９】
ユーザ履歴送信手段３６は、予め設定された一定時間毎にユーザ履歴記録手段３５からユーザ履歴情報ｇ１を読み出して利用状況管理装置１２に送信する。または、ユーザ履歴送信手段３６は、利用状況管理装置１２から任意に若しくは一定時間毎に履歴情報要求データｈ１が送信されて、放送受信再生端末１１−１の不図示の履歴情報要求データ入力手段で入力する度に、ユーザ履歴記録手段３５からユーザ履歴情報ｇ１を読み出して利用状況管理装置１２に送信する。なお、ユーザ履歴送信手段３６がユーザ履歴記録手段３５から読み出すデータは、ユーザ履歴情報ｇ１の全てではなく、新たに追記されたコンテンツ利用履歴レコードのみであるようにしてもよい。
【００３０】
ユーザ履歴情報ｇ１を受信した利用状況管理装置１２の動作については後述するが、その後、利用状況管理装置１２からユーザ識別情報重複使用通知ｊ１が送信された場合、放送受信再生端末１１−１は、ユーザ識別情報重複使用通知入力手段３７で受信して入力し、ユーザ識別情報重複使用通知記録手段３８に供給して記録する。なお、ユーザ識別情報重複使用通知ｊ１には、重複利用に関連するユーザ識別情報が含まれている。
【００３１】
次に、図５に、利用状況管理装置１２の機能ブロック図を示す。同図において、利用状況管理装置１２は、ユーザ履歴入力手段５１と、ユーザ履歴記録手段５２と、ユーザ履歴比較手段５３と、ユーザ識別情報重複使用通知出力手段５４とを備えている。
【００３２】
放送受信再生端末１１−１，１１−２からユーザ履歴情報ｇ１，ｇ２が送信されると、利用状況管理装置１２は、ユーザ履歴入力手段５１で受信して入力する。そして、入力したユーザ履歴情報ｇ１，ｇ２をユーザ履歴情報記録手段５２に記録する。ユーザ履歴情報ｇ１，ｇ２のユーザ履歴情報記録手段５２への記録形態は、例えば、放送受信再生端末１１−１，１１−２別にテーブルを設けて記録する。
【００３３】
次に、ユーザ履歴比較手段５３は、ユーザ履歴記録手段５２に記録されたユーザ履歴情報ｇ１，ｇ２を読み出し、ユーザ履歴情報ｇ１に含まれるいずれかのコンテンツ利用履歴レコードに含まれるユーザ識別情報と、ユーザ履歴情報ｇ２に含まれるいずれかのコンテンツ利用履歴レコードに含まれるユーザ識別情報とが同一であり、且つ当該両レコードに含まれるコンテンツ利用開始時刻ｐ１とコンテンツ利用終了時刻ｑ１とから計算されるコンテンツデータ利用時間が、少なくとも部分的に重複しているか否かを判定する。
【００３４】
そして、ユーザ識別情報重複使用通知出力手段５４は、判定結果が肯定的な結果である場合、同一のユーザ識別情報を用いたユーザが少なくとも部分的に重複した時間帯においてコンテンツデータを利用しているものと判断し、ユーザ履歴比較手段５３で検出された重複利用に係るユーザ識別情報を含むユーザ識別情報重複使用通知ｊ１，ｊ２を生成して放送受信再生端末１１−１，１１−２に送信する。
【００３５】
以上詳述したとおり、本実施例によれば、放送局側の放送システム１３から放送された放送データｅを受信し、番組を選局してユーザ所望のコンテンツデータを利用する放送受信再生端末１１−１〜１１−ｎにおいて、同一のユーザ識別情報が複数の放送受信再生端末で時間的に少なくとも部分的に重複して使用されることを、放送局側の利用状況管理装置１２とユーザ側の放送受信再生端末１１−１〜１１−ｎとの簡易な構成により防止することができる。よって、例えば、個人単位でライセンスが供与されている放送受信サービスにおいて、１つのライセンスが複数人により同時に使用されるといった不正使用を防止することができる。
【００３６】
なお、本実施例では、放送受信再生端末１１−１〜１１−ｎを、放送データｅを受信する例として説明したが、その他の実施例として、ＤＶＤやＣＤ−ＲＯＭ、メモリカード等のパッケージメディアによりコンテンツデータの提供を受ける形態としてもよく、また、インターネットやＬＡＮ等のネットワークを介して接続されたサービス提供者管理のコンテンツサーバからコンテンツデータの提供を受ける形態としてもよい。
【実施例２】
【００３７】
本発明を適用した第二実施例であるコンテンツデータ配信システムについて図面を参照しながら説明する。なお、本実施例の説明で使用する図面において、第一実施例の説明で使用した図面のうち同一の構成や情報（データ）については、同一の符号を付してその説明を省略する。図６に、コンテンツデータ配信システムの概略構成図を示す。同図において、コンテンツデータ配信システム（コンテンツデータ利用システム）６は、ユーザ端末（データ利用装置）６１−１〜６１−ｎと利用状況管理装置（利用履歴情報管理装置）１２とコンテンツデータ配信サーバ（コンテンツデータ配信装置）６３−１〜６３−ｍとがインターネット１４を介してそれぞれ接続されて構成されている。なお、ｎ及びｍは必ずしも同数である必要はない。
【００３８】
このコンテンツデータ配信システム６は、ユーザ端末６１−１〜６１−ｎから不図示のプロバイダに対するユーザ所望のコンテンツデータのダウンロード要求に応じて、プロバイダが管理するコンテンツデータ配信サーバ６３−１〜６３−ｍからコンテンツデータを要求元のユーザ端末に配信し、このユーザ端末でコンテンツデータを利用させる情報サービスを提供するものである。
【００３９】
そして、本実施例においては、ユーザ端末６１−１〜６１−ｎが、ダウンロードしたコンテンツデータを再生や複製により利用する度に、ユーザ毎のコンテンツデータの利用履歴情報を生成して記録する一方、利用状況管理装置１２に利用履歴情報を送信し、各ユーザ端末から送信された利用履歴情報を受信した利用状況管理装置１２が、これら利用履歴情報を一元管理すると共に、単一のユーザが複数のユーザ端末で時間的に少なくとも部分的に重複してコンテンツデータを利用しているか否かを判定し、肯定的な判定結果を得た場合に、コンテンツデータ配信サーバ６３−１〜６３−ｍに対して重複利用を通知し、それに基づいてコンテンツデータ配信サーバ６３−１〜６３−ｍが重複して利用しているユーザ端末に対してコンテンツデータの利用を禁止させる制御を行う点に特徴を有する。
【００４０】
図７に、コンテンツデータ配信システム６の概略機能ブロック図を示し、各ブロックの機能と動作について概略説明する。なお、同図は、説明を容易にするために、ｎ台のユーザ端末６１−１〜６１−ｎを２台のユーザ端末６１−１，６１−２に限定し、そして、ｍ台のコンテンツデータ配信サーバ６３−１〜６３−ｍを２台のコンテンツデータ配信サーバ６３−１，６３−２に限定した例である。
【００４１】
まず、ユーザ端末６１−１，６１−２は、それぞれの利用時に各ユーザによってユーザ識別情報ａ１，ａ２が入力される。ユーザ識別情報ａ１，ａ２は、個々のユーザに付与されたＩＤ情報である。そして、ユーザ端末６１−１，６１−２は、入力されたユーザ識別情報ａ１，ａ２に基づき認証要求データｂ１，ｂ２を生成してコンテンツデータ配信サーバ６３−１，６３−２に送信する。
【００４２】
コンテンツデータ配信サーバ６３−１，６３−２は、認証要求データｂ１，ｂ２を受信すると認証処理を実行し、認証要求データｂ１，ｂ２が正当なユーザを示すデータであると判定した場合は認証完了を示すデータを、また、正当なユーザを示すデータでないと判定した場合はエラーデータを、認証応答データｃ１，ｃ２としてユーザ端末６１−１，６１−２に送信する。
【００４３】
ユーザ端末６１−１，６１−２は、認証応答データｃ１，ｃ２を受信すると、その内容が認証完了を示すデータであった場合は、ユーザ所望のコンテンツデータをダウンロードするために、コンテンツデータ名を入力又は指定するようユーザに促すメッセージをユーザ端末６１−１，６１−２に接続又は内蔵された不図示の表示装置に表示し、コンテンツデータを特定させる。そしてこの特定されたコンテンツデータに対応したコンテンツ要求データｄ１，ｄ２を生成してコンテンツ配信サーバ６３−１，６３−２に送信する。一方、受信した認証応答データｃ１，ｃ２の内容がエラーデータであった場合は、再度、ユーザ識別情報ａ１，ａ２を入力するようユーザに促すメッセージを、表示装置に表示して再入力させる処理を実行する。
【００４４】
コンテンツデータ配信サーバ６３−１，６３−２は、コンテンツ要求データｄ１，ｄ２を受信すると、コンテンツ要求データｄ１，ｄ２に基づいてコンテンツデータｅ１，ｅ２を検索して読出し、ユーザ端末６１−１，６１−２に送信する。
【００４５】
以上のようにして、コンテンツデータ配信システム６は、ユーザ端末６１−１，６１−２を使用するユーザにより入力されたユーザ識別情報ａ１，ａ２そのものが正当なものであった場合にのみ、コンテンツデータ配信サーバ６３−１，６３−２から所望のコンテンツデータｅ１，ｅ２をダウンロードさせることができる。
【００４６】
ユーザ端末６１−１，６１−２は、コンテンツデータｅ１，ｅ２をダウンロードすると、ユーザにより利用される。なお、本実施例におけるコンテンツデータの利用とは、コンテンツデータの再生及び複製、又はいずれか一方の処理を指す。ユーザ端末６１−１，６１−２は、コンテンツデータｅ１，ｅ２の利用開始時点から利用終了時点までのコンテンツデータ利用時間を、ユーザ識別情報ａ１，ａ２にそれぞれ関連付けたコンテンツ利用履歴レコードとしてユーザ履歴情報ｇ１，ｇ２に記録する。
【００４７】
そして、ユーザ端末６１−１，６１−２は、上記の如くコンテンツデータｅ１，ｅ２を利用する一方、予め自端末に設定された一定時間毎に、又は利用状況管理装置１２から任意に若しくは一定時間毎に履歴情報要求データｈ１，ｈ２が供給される度に、記録したユーザ履歴情報ｇ１，ｇ２を利用状況管理装置１２に送信する。
【００４８】
利用状況管理装置１２は、ユーザ履歴情報ｇ１，ｇ２を受信すると、コンテンツ利用履歴レコード毎にそれぞれ比較し、同一のユーザ識別情報であって、且つコンテンツデータ利用時間が少なくとも部分的に重複しているか否かを判定する。そして、肯定的な判定結果が得られた場合は、ユーザ識別情報重複使用通知ｊ１，ｊ２を生成してコンテンツデータ配信サーバ６３−１，６３−２に送信する。
【００４９】
例えば、ユーザ端末６１−１，６１−２の各ユーザが、共にユーザ識別情報ａ１を用いてユーザ認証し、ユーザ端末６１−１，６１−２にコンテンツデータｅ１，ｅ２をダウンロードして利用した場合において、コンテンツデータ利用時間に少なくとも部分的な重複がある場合は、利用状況管理装置１２は、ユーザ識別情報重複使用通知ｊ１，ｊ２をコンテンツデータ配信サーバ６３−１，６３−２に送信する。
【００５０】
コンテンツデータ配信サーバ６３−１，６３−２は、ユーザ識別情報重複使用通知ｊ１，ｊ２を受信した場合は、ユーザ端末６１−１，６１−２でのコンテンツデータｅ１，ｅ２の利用を禁止させるよう制御する。
【００５１】
上記概略説明したようにして、コンテンツデータ配信システム６は、コンテンツデータ配信サーバ６３−１〜６３−ｍから配信されたコンテンツデータｅ１，ｅ２を受信したユーザ端末６１−１〜６１−ｎによるコンテンツデータの利用に際し、各ユーザ端末が利用状況管理装置１２に供給するユーザ履歴情報に基づいて、利用状況管理装置１２が、同一のユーザ識別情報により認証された複数のユーザ端末で、コンテンツデータを時間的に少なくとも部分的に重複して利用していることを検出して各コンテンツデータ配信サーバに通知することにより、通知を受けた各コンテンツデータ配信サーバが、各ユーザ端末に対して不正利用を禁止するよう制御することができる。
【００５２】
次に、本実施例における各装置の構成及び動作について更に詳しく説明する。図８に、ユーザ端末６１−１の機能ブロック図を示す（その他のユーザ端末６１−２〜６１−ｎも同様の構成である。）。同図において、ユーザ端末６１−１は、ユーザ識別情報入力手段３１と、制御手段３２と、コンテンツデータ入力手段３３と、コンテンツデータ利用手段３４と、ユーザ履歴記録手段３５と、ユーザ履歴送信手段３６とを備えている。
【００５３】
ユーザ識別情報入力手段３１は、ユーザによる不図示の操作ボタン等の操作により、又はユーザ識別情報ａ１が記録された磁気カード等の記録媒体の入力により、ユーザ識別情報ａ１を入力してデータを保持すると共に制御手段３２に供給する。ユーザ識別情報ａ１は、例えば、情報サービス提供者側の管理のもと、予め任意に決定したユーザネーム及びパスワード、又はいずれか一方の情報が適用できる。そして、制御手段３２は、供給されたユーザ識別情報ａ１に基づき認証要求データｂ１を生成し、不図示の認証要求データ出力手段からインターネット１４を介してコンテンツデータ配信サーバ６３−１に送信する。なお、認証要求データｂ１，ｂ２は、暗号化された情報であることが情報漏洩の安全上望ましく、内容としてはユーザ識別情報ａ１，ａ２そのものであってもよい。
【００５４】
その後、コンテンツデータ配信サーバ６３−１から認証応答データｃ１が送信されると、ユーザ端末６１−１は、不図示の認証応答データ入力手段で受信入力して制御手段３２に供給する。そして、供給された認証応答データｃ１が認証完了を示すデータであった場合は、前記した表示装置にコンテンツデータの指定を促すメニューを表示させて、ユーザによる操作入力によって所望のコンテンツデータ名の指定又は入力をさせ、この指定又は入力されたコンテンツデータ名に対するコンテンツ要求データｄ１を生成して、不図示のコンテンツ要求データ送信手段からコンテンツデータ配信サーバ６３−１に送信する。
【００５５】
その後、コンテンツデータ配信サーバ６３−１からコンテンツ要求データｄ１に対応したコンテンツデータｅ１が送信されると、ユーザ端末６１−１は、コンテンツデータ入力手段３３で受信して入力する。そして、入力したコンテンツデータｅ１は、コンテンツデータ利用手段３４に供給される。
【００５６】
なお、コンテンツデータ配信サーバ６３−１から供給されるコンテンツデータｅ１には、コンテンツ利用禁止制御情報が付加されており、コンテンツデータ利用手段３４でコンテンツデータｅ１を利用する際には、制御手段３２がコンテンツ利用禁止制御情報を解析し、必要に応じてコンテンツデータｅ１の利用を禁止するようコンテンツデータ利用手段３４を制御する。これについては、詳細を後述する。
【００５７】
コンテンツデータ利用手段３４は、コンテンツデータｅ１を利用する場合、コンテンツデータｅ１を利用開始する際のコンテンツ利用開始時刻ｐ１を不図示の計時手段により計時してユーザ履歴記録手段３５に供給する。そして、ユーザ履歴記録手段３５は、ユーザ識別情報入力手段３１に保持されているユーザ識別情報ａ１を読み込み、コンテンツ利用開始時刻ｐ１を関連付けてコンテンツ利用履歴レコードに記録する。その後、コンテンツデータ利用手段３４は、コンテンツデータｅ１の利用を終了したコンテンツ利用終了時刻ｑ１をユーザ履歴記録手段３５に供給し、ユーザ履歴記録手段３５は、コンテンツ利用終了時刻ｑ１を前記コンテンツ利用履歴レコードに追記して、このコンテンツ利用履歴レコードをユーザ履歴情報ｇ１に記録する。なお、コンテンツ利用開始時刻ｐ１及びコンテンツ利用終了時刻ｑ１は、それぞれ「年．月．日．時：分：秒」からなるデータであることが好ましく、また、ユーザ履歴情報ｇ１のデータ構成は図４に示した例と同一である。
【００５８】
ユーザ履歴送信手段３６は、予め設定された一定期間毎にユーザ履歴記録手段３５からユーザ履歴情報ｇ１を読み出して利用状況管理装置１２に送信する。または、ユーザ履歴送信手段３６は、利用状況管理装置１２から任意に若しくは一定時間毎に履歴情報要求データｈ１が送信されて、ユーザ端末６１−１の不図示の履歴情報要求データ入力手段で入力する度に、ユーザ履歴記録手段３５からユーザ履歴情報ｇ１を読み出して利用状況管理装置１２に送信する。なお、ユーザ履歴送信手段３６がユーザ履歴記録手段３５から読み出すデータは、ユーザ履歴情報ｇ１の全てではなく、新たに追記されたコンテンツ利用履歴レコードのみであるようにしてもよい。
【００５９】
利用状況管理装置１２は、第一実施例で説明したものと同一であるが、ユーザ識別情報重複使用通知出力手段５４が送信するユーザ識別情報重複使用通知ｊ１，ｊ２はコンテンツデータ配信サーバ６３−１，６３−２に供給される。
【００６０】
次に、図９に、コンテンツデータ配信サーバ６３−１の機能ブロック図を示す（その他のコンテンツデータ配信サーバ６３−２〜６３−ｍも同様の構成である。）。同図において、コンテンツデータ配信サーバ６３−１は、ユーザ識別情報重複使用通知入力手段９１と、ユーザ識別情報記録手段９２と、制御手段９３と、コンテンツデータ生成手段９４と、コンテンツデータ送信手段９５とを備えている。
【００６１】
ユーザ端末６１−１から認証要求データｂ１が送信されると、コンテンツデータ配信サーバ６３−１は、不図示の認証要求データ入力手段により受信して入力し、制御手段９３が入力データの認証処理を実行する。そして、認証要求データｂ１が正当なユーザを示すデータであると判定した場合は認証完了を示すデータを、また、正当なユーザを示すデータでないと判定した場合はエラーデータを、認証応答データｃ１として不図示の認証応答データ出力手段から送信する。
【００６２】
その後、ユーザ端末６１−１からコンテンツ要求データｄ１が送信されると、コンテンツデータ配信サーバ６３−１は、不図示のコンテンツ要求データ入力手段により受信して入力し、コンテンツデータ生成手段９４に供給する。
【００６３】
一方、利用状況管理装置１２からユーザ識別情報重複使用通知ｊ１が送信されると、コンテンツデータ配信サーバ６３−１は、ユーザ識別情報重複使用通知入力手段９１で受信して入力する。そして、入力したユーザ識別情報重複使用通知ｊ１に含まれる重複利用を起こしているユーザ識別情報をユーザ識別情報記録手段９２に記録する。
【００６４】
そして、制御手段９３は、ユーザ識別情報記録手段９２に記録されたユーザ識別情報を読み出して、このユーザ識別情報に対応させてコンテンツデータの利用を禁止するためのコンテンツ利用禁止制御情報ｓ１を生成してコンテンツデータ生成手段９４に供給する。次に、コンテンツデータ生成手段９４は、コンテンツ要求データｄ１に基づきコンテンツ利用禁止制御情報ｓ１を付加したコンテンツデータｅ１を生成してコンテンツデータ送信手段９５からユーザ端末６１−１に送信する。
【００６５】
以上詳述したとおり、本実施例によれば、情報サービス提供者側のコンテンツデータ配信サーバ６３−１〜６３−ｍから配信されたコンテンツデータを受信して利用するユーザ端末６１−１〜６１−ｎにおいて、同一のユーザ識別情報が複数のユーザ端末で時間的に少なくとも部分的に重複して使用されることを、情報サービス提供者側の利用状況管理装置１２とコンテンツデータ配信サーバ６３−１〜６３−ｍとの構成により検出し、その不正使用を防止することができる。よって、例えば、個人単位でライセンスが供与されているコンテンツ配信サービスにおいて、１つのライセンスが複数人により同時に使用されるといった不正使用を防止することができる。
【図面の簡単な説明】
【００６６】
【図１】本発明を適用した第一実施例であるコンテンツデータ放送受信システムの概略構成図である。
【図２】第一実施例における、コンテンツデータ放送受信システムの概略機能ブロック図である。
【図３】第一実施例における、放送受信再生端末の機能ブロック図である。
【図４】第一及び第二実施例における、ユーザ履歴情報のデータ構成例を示す図である。
【図５】第一及び第二実施例における、利用状況管理装置の機能ブロック図である。
【図６】本発明を適用した第二実施例であるコンテンツデータ配信システムの概略構成図である。
【図７】第二実施例における、コンテンツデータ配信システムの概略機能ブロック図である。
【図８】第二実施例における、ユーザ端末の機能ブロック図である。
【図９】第二実施例における、コンテンツデータ配信サーバの機能ブロック図である。
【符号の説明】
【００６７】
１  コンテンツデータ放送受信システム
６  コンテンツデータ配信システム
１１−１〜１１−ｎ  放送受信再生端末
１２  利用状況管理装置
１３  放送システム
１４  インターネット
３１  ユーザ識別情報入力手段
３２  制御手段
３３  コンテンツデータ入力手段
３４  コンテンツデータ利用手段
３５  ユーザ履歴記録手段
３６  ユーザ履歴送信手段
３７  ユーザ識別情報重複使用通知入力手段
３８  ユーザ識別情報重複使用通知記録手段
５１  ユーザ履歴入力手段
５２  ユーザ履歴記録手段
５３  ユーザ履歴比較手段
５４  ユーザ識別情報重複使用通知出力手段
６１−１〜６１−ｎ  ユーザ端末
６３−１〜６３−ｍ  コンテンツデータ配信サーバ
９１  ユーザ識別情報重複使用通知入力手段
９２  ユーザ識別情報記録手段
９３  制御手段
９４  コンテンツデータ生成手段
９５  コンテンツデータ送信手段
ａ１，ａ２  ユーザ識別情報
ｂ１，ｂ２  認証要求データ
ｃ１，ｃ２  認証応答データ
ｄ１，ｄ２  コンテンツ要求データ
ｅ１，ｅ２  コンテンツデータ
ｇ１，ｇ２  ユーザ履歴情報
ｈ１，ｈ２  履歴情報要求データ
ｊ１，ｊ２  ユーザ識別情報重複使用通知
ｐ１  コンテンツ利用開始時刻
ｑ１  コンテンツ利用終了時刻
ｓ１  コンテンツ利用禁止制御情報
【図１】
2008065664.tif 000003
【図２】
2008065664.tif 000004
【図３】
2008065664.tif 000005
【図４】
2008065664.tif 000006
【図５】
2008065664.tif 000007
【図６】
2008065664.tif 000008
【図７】
2008065664.tif 000009
【図８】
2008065664.tif 000010
【図９】
2008065664.tif 000011